(57)【要約】      （修正有）【課題】ボタン操作が苦手なお年寄りなど一部の使用者用に、ボタン操作を必要としない、より簡単な操作でリピート再生が可能となる補聴器を提供する。【解決手段】補聴器１０または補聴器１０の付属物の動作を検知するモーションセンサ１９と、前記モーションセンサ１９で所定の動作が検知されると、所定の処理を実行する制御部と、を備える。【選択図】図１
2014042213.tif 000002
【特許請求の範囲】
【請求項１】
補聴器または補聴器の付属物に対する動作を検知するモーションセンサと、
前記モーションセンサで所定の動作が検知されると、所定の処理を実行する制御部と、
を備えることを特徴とする補聴器。
【請求項２】
請求項１に記載の補聴器であって、
外部音声を録音するメモリを備え、
前記制御部は、
所定の動作を検知したことを示す信号を前記モーションセンサから取得すると、前記メモリに格納されている音声データを再生する
ことを特徴とする補聴器。
【請求項３】
請求項２に記載の補聴器であって、
前記制御部は、
所定の動作を検知したことを示す信号を前記モーションセンサから取得すると、
前記メモリに格納した音声データに再生ポイントを設定する
ことを特徴とする補聴器。
【請求項４】
請求項３に記載の補聴器であって、
前記制御部は、
所定の動作を検知したことを示す信号を前記モーションセンサから取得すると、再生すべき音声データを選択する
ことを特徴とする補聴器。
【請求項５】
請求項３に記載の補聴器であって、
前記制御部は、
前記音声データの再生中に、所定の動作を検知したことを示す信号を前記モーションセンサから取得すると、該音声データの再生を停止する
ことを特徴とする補聴器。
【請求項６】
請求項４または５に記載の補聴器であって、
前記制御部は、
前記音声データの再生中に、所定の動作を検知したことを示す信号を前記モーションセンサから取得すると、所定の時間内に録音された音声データを前記メモリから削除する
ことを特徴とする補聴器。
【請求項７】
請求項６に記載の補聴器であって、
所定の動作を検知したことを示す信号を前記モーションセンサから取得すると、前記イヤホンから出力される音声の音量調整またはマイクロフォンの指向性を変更する
ことを特徴とする補聴器。
【請求項８】
請求項７に記載の補聴器であって、
前記モーションセンサは、傾き、回転、振動および加速度の少なくとも一つを検知可能である
ことを特徴とする補聴器。
【請求項９】
請求項８に記載の補聴器であって、
前記付属物は、
イヤホンまたはリスト装着具である
ことを特徴とする補聴器。
【請求項１０】
請求項９に記載の補聴器であって、
前記所定の処理を示す画像情報または所定の文字情報を表示するディスプレイを備えている
ことを特徴とする補聴器。
【発明の詳細な説明】
【技術分野】
【０００１】
本発明は、補聴器に関する。
【背景技術】
【０００２】
近年、社会の高齢化が進むにつれて補聴器の需要が高まりつつある。下記の特許文献には、補聴器などの装置に収容され、記録した過去の音声をリピート再生可能な話速変換装置の技術が開示されている。
【先行技術文献】
【特許文献】
【０００３】
【特許文献１】特開平８−２９４１９８号公報
【発明の概要】
【発明が解決しようとする課題】
【０００４】
上記話速変換装置は、リピート再生にあたってリピートボタンによる操作が必要とされるため、ボタン操作が苦手なお年寄りなど一部の使用者にとっては使い勝手が悪いという問題がある。また、ボタン操作が遅れることにより、聞き直したい箇所から遠ざかってしまい、リピート再生のための操作が煩わしくなってしまうという結果を生んでいた。
【０００５】
そこで、本発明は、ボタン操作を必要としない、より簡単な操作でリピート再生を可能とする補聴器の提供を目的とする。
【課題を解決するための手段】
【０００６】
上記課題を解決するため、本発明に係る補聴器は、補聴器または補聴器の付属物に対する動作を検知するモーションセンサと、前記モーションセンサで所定の動作が検知されると、所定の処理を実行する制御部と、を備える。
【発明の効果】
【０００７】
本発明に係る補聴器によれば、ボタン操作を必要としない、より簡単な操作でリピート再生が可能となる。
【図面の簡単な説明】
【０００８】
【図１】本発明の一実施形態の補聴器を示す図である。
【図２】本発明の一実施形態に係るリピート関連データの一例を示す図である。
【図３】本発明の一実施形態に係るリピート用音声データの一例を示す図である。
【図４】本発明の一実施形態に係る補聴器のモーションセンサが内蔵されたヘッドホンの装着イメージ図である。
【図５】本発明の一実施形態に係る補聴器の図４のイメージ図を３次元的に描画した図である。
【図６】本発明の一実施形態に係る補聴器の機能ブロックを示す図である。
【図７】本発明の一実施形態に係るリピート関連処理を示すフロー図である。
【図８】本発明の他の実施形態に係る振動関連データを示す図である。
【図９】本発明の第一変形例に係る補聴器の付属具であるリストバンドを示した図である。
【図１０】本発明の他の実施形態に係る補聴器を示した図である。
【図１１】本発明の一実施形態に係る処理マークを示した図である。
【図１２】本発明の第一変形例に係るリピート関連処理を示すフロー図である。
【図１３】本発明の第二変形例に係るポイントマークを示した図である。
【発明を実施するための形態】
【０００９】
以下、本発明の一実施形態について説明する。
【００１０】
＜第一実施形態＞
図１は、本実施形態に係る補聴器１０を示す図である。補聴器１０は、本体１１とイヤホン１２とから構成され、首掛けストラップ１３により本体１１を首から掛けて用いるタイプのものである。
【００１１】
本体１１は、演算処理装置１４と、マイクロフォン１５と、録音用メモリ１６と、リピート音声用メモリ１７と、ディスプレイ２２と、を有している。また、イヤホン１２は、スピーカ１８と、モーションセンサ１９と、を内蔵しており、コード２０を介して本体１１の接続端子２１に接続されている。
【００１２】
演算処理装置１４は、補聴器１０の様々な処理を行う中心的なユニットである。例えば、演算処理装置１４は、マイクロフォン１５を介して取得した外部音声に音質調整および音量調整といった所定の音声処理を施してスピーカ１８に出力する。
【００１３】
また、演算処理装置１４は、電気信号に変換された外部音声をマイクロフォン１５から取得し、これを音声データに変換して録音用メモリ１６に格納する。
【００１４】
また、演算処理装置１４は、モーションセンサ１９が検知したイヤホン１２の動作（例えば、傾きや振動など）を示す信号を取得し、かかる動作に応じて所定のリピート関連処理を実行する。具体的には、演算処理装置１４は、所定方向の傾き（例えば、左方向の傾き）を示す信号をモーションセンサ１９から取得すると、録音用メモリ１６に格納されている音声データの一部をリピート音声用メモリ１７に格納する。また、演算処理装置１４は、所定方向の傾き（例えば、右方向の傾き）を示す信号をモーションセンサ１９から取得すると、リピート音声用メモリ１７に格納されている音声データのリピート再生を行う。
【００１５】
また、演算処理装置１４は、リピート関連処理の内容を示す所定の画像情報をディスプレイ２２に表示させる。
【００１６】
なお、リピート関連処理における演算処理装置１４の具体的な動作は、後述するＲＯＭに格納されているリピート関連データで定義付けられている。
【００１７】
このような演算処理装置１４は、数値演算などの様々な処理を実行するＣＰＵ（Ｃｅｎｔｒａｌ  Ｐｒｏｃｅｓｓｉｎｇ  Ｕｎｉｔ）と、プログラムやデータ、演算結果などを一時的に格納するＲＡＭ（Ｒａｎｄｏｍ  Ａｃｃｅｓｓ  Ｍｅｍｏｒｙ）と、プログラムやデータなどを格納するＲＯＭ（Ｒｅａｄ  Ｏｎｌｙ  Ｍｅｍｏｒｙ）と、マイクロフォン１５やモーションセンサ１９など各ハードウェアを演算処理装置１４に接続するためのＩ／Ｆ（インターフェース）と、を有している。また、ＣＰＵ、ＲＡＭ、ＲＯＭは、バスによって相互に接続されている。また、これらは一つのＩＣ（Ｉｎｔｅｇｒａｔｅｄ  Ｃｉｒｃｕｉｔ）チップにまとめられていても良い。
【００１８】
図２は、ＲＯＭに格納されているリピート関連データ３０の一例を示した図である。リピート関連データ３０は、モーションセンサ１９によって検知されたイヤホン１２の傾き方向３１と、演算処理装置１４による処理内容（リピート関連処理）３２と、が対応付けて記録されている。例えば、「左方向の傾き」には、リピート用音声データの保存という処理が対応付けられている。また、「右方向の傾き」には、音声データの再生という処理が対応付けられている。また、「前方向の傾き」には、リピート用音声データに付加されているリピート番号の選択という処理が対応付けられている。また、「右方向の傾きからゆっくりと傾きの無い状態に戻る」には、スロー再生という処理が対応付けられている。演算処理装置１４は、このようなリピート関連データ３０に基づき、イヤホン１２の傾き方向３１に応じた所定のリピート関連処理３２を実行する。
【００１９】
また、ＲＯＭには、リピート関連処理を示した所定の画像情報が格納されている。図１１は、画像情報である処理マークを示す図である。図示するように、処理マークには、補聴器が起動中であることを示す起動中マーク９１と、リピート用音声データの保存処理中であることを示す保存マーク９２と、音声データをリピート再生中であることを示す再生中マーク９３と、音声データのリピート再生を停止したことを示す停止マーク９４と、再生する音声データに付加されているリピート番号の選択を示す選択マーク９５と、が格納されている。これらの処理マークは、演算処理装置がリピート関連処理を実行する際にディスプレイ２２に表示される。
【００２０】
マイクロフォン１５は、人の声や物音など補聴器１０周囲の音（外部音声）を取得する。なお、マイクロフォン１５は、取得した外部音声を電気信号に変換して演算処理装置１４に出力する。このようなマイクロフォン１５には、例えば、コンデンサーマイクが用いられる。
【００２１】
録音用メモリ１６およびリピート音声用メモリ１７は、例えば、不揮発性メモリカードといった少なくとも読み書きが可能な記録媒体で構成されている。後述するように、録音用メモリ１６には、補聴器１０の起動と共にマイクロフォン１５を介して取得された外部音声が音声データとして連続的に格納される。
【００２２】
また、リピート音声用メモリ１７には、リピート用音声データが格納される。図３は、リピート用音声データ４０の一例を示した図である。リピート用音声データ４０は、リピート番号４１と、これに対応付けられている音声データ（リピート用音声データ）４２と、を有している。
【００２３】
なお、録音用メモリ１６およびリピート音声用メモリ１７は、各々、所定時間分（例えば、録音用メモリ１６は約１０時間分、リピート音声用メモリ１７は約６０分間分）の音声データを格納できる記憶容量を有している。したがって、リピート音声用メモリ１７は、所定数（例えば、３分間の録音時間を設定することにより、約２０個分）のリピート用音声データ４２を格納することができる。
【００２４】
また、録音用メモリ１６およびリピート音声用メモリ１７の記憶領域に新たな音声データを格納する空き領域がなくなった場合（録音用メモリ１６が約１０時間分の音声データを格納した場合や、リピート音声用メモリ１７に約２０個分の音声データを格納した場合）、演算処理装置１４によって古い時刻の音声データから順に削除される。
【００２５】
また、音声データは、デジタル変換して記録する方法が一般的で、音声データをデジタル変換して圧縮記録した場合、音声の内容により記録容量が変化し、記録時間も異なってくる。このため、使用者に誤解のないようリピート音声用メモリ１７の記録回数を少なく設定しても良い。
【００２６】
イヤホン１２に内蔵されるスピーカ１８は、マイクロフォン１５により変換された電気信号を物理的な振動に変換することにより、外部音声を聴覚で認識できる音声として出力する。
【００２７】
ディスプレイ２２は、少なくとも文字情報が表示可能な小型モニタから構成されている。なお、モニタの種類は限定されない。ディスプレイ２２には、前述の処理マークや所定の文字情報、日や時刻を示す日時情報（時計表示）などが表示される。
【００２８】
モーションセンサ１９は、物体の変位（動き）を計測することにより、動作や傾きの方向およびその大きさなどを検知可能なセンサである。図４は、モーションセンサ１９が内蔵されたヘッドホン５１の装着イメージ図である。また、図５は、図４のイメージ図を３次元的に描画した図である。モーションセンサ１９は、例えば、３軸（Ｘ軸、Ｙ軸、Ｚ軸）の各々の方向に対する加速度が測定可能な３次元加速度センサで構成されている。３次元加速度センサの検知方式は、例えば、静電容量型やピエゾ抵抗型など、どのような方式のものであっても良い。
【００２９】
なお、モーションセンサ１９は、必ずしも３次元加速度センサで構成される必要はなく、物体の動きを検知できれば、ジャイロセンサから構成されても良く、３次元加速度センサおよびジャイロセンサを組み合わせた６軸センサであっても良い。
【００３０】
また、モーションセンサ１９は、振動センサで構成されても良い。振動センサは、搭載された物体の振動を検知すると、所定の信号を出力するセンサである。振動センサは、検知する振動の特性（振動の大きさや、周波数帯など）に応じて適切なものが搭載されれば良い。なお、振動センサは、静電容量型や渦電流型など、検知方式には限定されない。
【００３１】
このようなモーションセンサ１９は、物体の動いた方向と、動きの大きさおよび加速度に比例した出力値と、を示す信号を生成する。
【００３２】
なお、モーションセンサ１９は、近年になって発達したＭＥＭＳ（ｍｉｃｒｏ  ｅｌｅｃｔｒｏ  ｍｅｃｈａｎｉｃａｌ  ｓｙｓｔｅｍｓ）技術、すなわち、半導体製造技術を用いて、一枚のシリコンウェハ上に機械的な機構と集積化した電子回路とを一体化した機能デバイス（加速度センサやジャイロセンサなど）で構成されることにより、補聴器の小型化に有効である。
【００３３】
本実施形態に係る補聴器１０では、このようなモーションセンサ１９がイヤホン１２に内蔵されているため、補聴器１０の使用者が首を傾けると、傾きの方向や、動きの速さおよび大きさに比例した出力値を示す信号が演算処理装置１４に出力されることになる。また、例えば、リストバンドにモーションセンサ１９に内蔵されると、腕の動き（傾きや、腕を振る動きなど）や動きの速さおよび大きさに比例した出力値を示す信号が演算処理装置１４に出力される。そのため、演算処理装置１４は、モーションセンサ１９から出力される信号により使用者の指示を受け取ることができる。なお、モーションセンサ１９は、片方のイヤホン１２のみに搭載されても良く、両方のイヤホン１２に搭載されていても良い。
【００３４】
次に、補聴器１０の機能ブロックについて説明する。なお、補聴器１０の機能ブロックは、演算処理装置１４に実装されるＣＰＵが読み込んだ所定のプログラムを実行することにより構築される。そのため、ＲＯＭには、各機能部の処理を実行するためのプログラムが記憶されている。
【００３５】
また、補聴器１０の機能ブロックは、本実施形態において実現される補聴器１０の機能を理解容易にするために、主な処理内容に応じて分類したものである。また、各機能の分類の仕方やその名称によって、本発明が制限されることはない。なお、補聴器１０の各構成は、処理内容に応じて、さらに多くの構成要素に分類することもできる。また、一つの構成要素がさらに多くの処理を実行するように分類することもできる。
【００３６】
また、補聴器１０の機能部は、ハードウェアにより構築されてもよい。また、各機能部の処理が一つのハードウェアで実行されてもよいし、複数のハードウェアで実行されてもよい。
【００３７】
図６は、補聴器１０の機能ブロックを示した図である。補聴器１０は、制御部５１と、音声処理部５２と、を有している。
【００３８】
制御部５１は、補聴器１０の様々な処理を行う中心的な機能部である。具体的には、制御部５１は、マイクロフォン１５を介して取得した外部音声を音声データに変換し、これを録音用メモリ１６に格納する。また、制御部５１は、マイクロフォン１５から取得した外部音声を音声処理部５２に出力する。
【００３９】
また、制御部５１は、モーションセンサ１９から取得した信号の出力値が所定の閾値以上である場合、信号が示すイヤホンの傾き方向３１に対応付けられているリピート関連処理３２を実行する。
【００４０】
音声処理部５２は、制御部５１から取得した外部音声にノイズを低減させる音質調整処理や音量増幅処理など所定の音声処理を施す。また、音声処理部５２は、音声処理後の外部音声をスピーカ１２に出力する。なお、音声処理部５２は、必ずしも演算処理装置１４の一機能として構築される必要はなく、例えば、音声信号増幅回路やローパスフィルタといった従来からある制御回路で構築されても良い。
【００４１】
以上、本実施形態に係る補聴器１０の機能ブロックについて説明した。
【００４２】
次に、補聴器１０のリピート関連処理について説明する。図７は、かかる処理を示したフロー図である。本フローは、補聴器１０の電源がＯＮになると開始される。
【００４３】
制御部５１は、モーションセンサ１９から信号を取得したか否かを監視する（ステップＳ００１）。そして、信号を取得した場合（ステップＳ００１でＹｅｓ）、制御部５１は、信号の出力値が所定の閾値よりも大きいか否かを判定し（ステップＳ００２）、閾値よりも大きい場合には（ステップＳ００２でＹｅｓ）、処理をステップＳ００３に移行する。一方で、モーションセンサ１９から信号を取得していない場合（ステップＳ００１でＮｏ）または取得した信号の出力値が閾値よりも小さい場合（ステップＳ００２でＮｏ）、制御部５１は、処理をステップＳ００１に戻し、再び信号取得の有無を監視する。なお、制御部５１は、モーションセンサ１９が所定方向の傾きを検知した際に出力する割り込み要求信号の取得、または、インターバルタイマーにより、所定時間（例えば、０．３秒〜０．５秒）ごとに信号取得の有無を判定することで信号取得の有無を監視する。
【００４４】
ステップＳ００３では、制御部５１は、信号が示すイヤホン１２の傾き方向３１に応じて処理のリピート関連処理３２を実行する。以下、リピート関連処理の各々の場合について説明する。
【００４５】
（１）モーションセンサ１９から取得した信号が左方向の傾きを示すものである場合、制御部５１は、信号を取得した時刻から所定時間前（例えば、３０秒間前）までの音声データを録音用メモリ１６から抽出し、これにリピート番号４１（ｎ）を対応付けたリピート用音声データ４２としてリピート音声用メモリ１７に格納する。また、制御部５１は、リピート番号に１を加え、リピート算出用番号（ｎ＋１）としてＲＡＭに保持する。
【００４６】
（２）モーションセンサ１９から取得した信号が前方向の傾きを示すものである場合、制御部５１は、リピート番号４１を選択する。具体的には、制御部５１は、かかる信号の取得数を積算する。例えば、前方向の傾きを示す信号を３つ取得すると、制御部５１は、リピート算出用番号（ｎ＋１）から「３」を減算し、かかる番号の決定から所定時間（例えば、１０秒間）ＲＡＭで保持する。なお、信号を複数取得した場合、最後に取得した時刻から所定時間（例えば、３秒間）が経過すると、制御部５１は、所定時間経過前までに取得した信号数とリピート算出用番号とから算出したリピート番号４１を決定する。なお、最後に取得した時刻から所定時間が経過しなくとも、所定時間経過前に取得した信号が右方向の傾きを示す者である場合、制御部５１は、再生するリピート番号４１を決定する。
【００４７】
（３）モーションセンサ１９から取得した信号が右方向の傾きを示すものである場合、制御部５１は、音声データを再生する。具体的には、制御部５１は、かかる信号の取得時にＲＡＭにリピート番号４１が保持されている場合、対応する番号が付加されているリピート用音声データ４２をリピート音声用メモリ１７から抽出して再生を行う。
【００４８】
一方で、信号の取得時にＲＡＭにリピート番号４１が保持されていない場合、制御部５１は、信号を取得した時刻から所定時間前（例えば、３０秒間前）までの音声データを録音用メモリ１６から抽出して再生を行う。
【００４９】
（４）右方向の傾きからゆっくりと傾きの無い状態に戻ることを示す信号を取得した場合、制御部５１は、通常の速度で再生している音声データをスロー再生に変更する。具体的には、制御部５１は、右方向の傾きを示す信号の取得後に、所定範囲に収まる出力値を示す信号であって、右方向の傾きの大きさが小さくなることを示す信号を所定時間（例えば、３秒間）継続して取得したか否かを判定する。なお、出力値の範囲は、ゆっくりの度合いに応じて適宜設定されれば良い。
【００５０】
このような信号を取得すると、制御部５１は、音声データの再生速度を変更し、スロー再生を行う。
【００５１】
このような補聴器１０によれば、ボタン操作を必要としない、より簡単な操作でリピート再生が可能となる。特に、イヤホン１２を装着している頭部（首）を傾けることにより、体感的に外部音声のリピート再生を実行することができる。例えば、首を左方向に傾ける（聴き逃した動作に似ている）と、所定範囲の時間内に録音した音声データをリピート用音声データとして保存することができる。また、首を右方向に傾けると、録音した音声データを再生することができる。また、首を前方向に傾けると、保存したリピート用音声データのリピート番号を選択することができる。また、首を右方向に傾けた後でゆっくりと傾きのない状態に戻すと、スロー再生にすることができる。したがって、比較的にボタン操作が苦手なお年寄りなどにとって、非常に使い勝手の良いリピート機能を備えた補聴器を提供することができる。また、補聴器１０では、素早い録音操作が可能であるため、リピートにより聴き直したいと思った音声データを適切に録音することができる。
【００５２】
なお、前述の補聴器１０では、所定方向の傾きを示す信号を検知した場合に所定のリピート関連処理を実行したが、本発明は本実施形態に限られるものではない。例えば、補聴器１０は、所定方向への変位や振動およびそれらの回数に応じて所定のリピート関連処理を実行するようにしても良い。
【００５３】
例えば、モーションセンサ１９の構成にジャイロセンサが含まれている場合、補聴器１０は、軸方向に対する回転（捻れ）方向やその回数に応じて、対応する所定のリピート関連処理を実行する。具体的には、補聴器１０の制御部５１は、左方向に１回転したことを示す信号をモーションセンサ１９から取得すると、リピート用音声データを保存する。また、例えば、右方向に１回転したことを示す信号を取得すると、制御部５１は、音声データの再生を行う。また、例えば、モーションセンサ１９により、右方向に半回転した後で左方向に所定回数の回転が検知されると、制御部５１は、左方向の回転数に応じたリピート番号の選択を実行する。
【００５４】
また、モーションセンサ１９の構成に振動センサが含まれている場合、補聴器１０は、振動の大きさや回数に応じて、対応する所定のリピート関連処理を実行する。具体的には、補聴器１０の制御部５１は、所定時間内（最初の振動検知から３秒以内）に振動を１回検知したことを示す信号をモーションセンサ１９から取得すると、リピート用音声データを保存する。また、例えば、所定時間内に振動を２回検知したことを示す信号を取得すると、制御部５１は、音声データの再生を行う。また、例えば、モーションセンサ１９により、３回の振動が検知された後で所定時間内（例えば、３秒以内）に所定数の振動を検知されると、制御部５１は、所定時間内に検知された振動回数に応じたリピート番号の選択を実行する。
【００５５】
なお、各リピート関連処理に対応付けられる動作（振動回数や回数の組合せ）は適宜設定されれば良く、例えば、図２に示すリピート関連データ３０としてＲＯＭなどに格納されていれば良い。
【００５６】
また、音声データの再生中に、所定の動作（例えば、所定方向への動き、傾き、振動など）を示す信号をモーションセンサ１９から取得した場合、制御部５１は、再生を停止し、マイクロフォン１５を介して取得した外部音声をイヤホン１２から出力するようにしても良い。
【００５７】
また、音声データの再生中には、通常、マイクロフォン１５を介して取得した外部音声はイヤホン１２に出力されない制御が制御部５１により行われるが、音声データの再生中にかかる信号を取得した場合、制御部５１は、一方のイヤホン１２に音声データを出力し、他方のイヤホン１２からマイクロフォン１５を介して取得した外部音声を同時に出力するようにしても良い。また、制御部５１は、このような場合に、再生中の音声データと外部音声とを重ねて両方のイヤホン１２に出力するようにしても良い。
【００５８】
また、モーションセンサ１９で検知された傾き方向、所定方向への動き、振動回数、およびそれらの組み合わせにより、所定のリピート関連処理を実行するようにしても良い。例えば、右方向への傾きを検知した後で、所定時間内（例えば、３秒以内）に所定回数（例えば、３回）の振動をモーションセンサ１９が検知すると、制御部５１は、振動回数に応じてリピート番号を選択する。
【００５９】
なお、各リピート関連処理に対応付けられる動作（傾き、振動、動作方向など）は適宜設定されれば良く、例えば、図２に示すリピート関連データ３０としてＲＯＭなどに格納されていれば良い。
【００６０】
＜第二実施形態＞
第二実施形態に係る補聴器１０は、ボタン操作を必要としないより簡単な操作によって、再生中の音声データを停止、または、消去する機能を備える。具体的には、リピート用音声データ４２を再生中に本体１１を１回「トン」と叩くことにより、再生を停止させる。また、リピート用音声データ４２を再生中に本体１１を２回「トントン」と叩くことにより、再生中のリピート用音声データ４２をリピート音声用メモリ１７から削除する。なお、補聴器１０の基本的構成は前述の第一実施形態と同様であるが、本実施形態の本体にはモーションセンサ１９の構成に振動センサが内蔵されている。
【００６１】
なお、振動を検知した場合に実行される演算処理装置１４の具体的な動作は、ＲＯＭに格納されているリピート関連データで定義付けられていれば良い。図８は、第二実施形態に係るリピート関連データ６０の一例を示したものである。リピート関連データ６０は、振動センサによって検知された本体１１への振動パターン６１と、演算処理装置１４による処理内容（リピート関連処理）６２と、が対応付けて記録されている。具体的には、１回「トン」と叩いた時の振動を検知した場合、演算処理装置１４の動作として「リピート再生を停止する」が対応付けられている。また、２回「トントン」と叩いた時の振動を検知した場合、演算処理装置１４の動作として「再生中のリピート用音声データをリピート音声用メモリから削除する」が対応付けられている。
【００６２】
このようなリピート関連処理は、前述の制御部５１が実行する。制御部５１は、リピート用音声データ４２の再生を開始すると、振動センサから信号を取得したか否かを監視する。そして、振動を検知したことを示す信号（１回目の信号）を取得した場合、所定時間内（例えば、１秒以内）に再び振動を検知したことを示す信号（２回目の信号）を取得したか否かを監視する。
【００６３】
１回目の信号を取得してから所定時間（例えば、１秒）経過しても２回目の信号を取得しない場合、制御部５１は、１回「トン」に対応付けられている処理を実行する。すなわち、制御部５１は、「リピート再生を停止する」という処理を実行する。
【００６４】
一方で、所定時間内に２回の信号を取得した場合、制御部５１は、２回「トントン」に対応付けられている処理を実行する。すなわち、制御部５１は、「再生中のリピート用音声データをリピート音声用メモリから削除する」という処理を実行する。
【００６５】
このような第二実施形態に係る補聴器１０によれば、ボタン操作を必要としないより簡単な操作によって、再生中の音声データを停止、または、消去することができる。
【００６６】
＜第一変形例＞
前述の実施形態では、イヤホン１２にモーションセンサ１９を内蔵したが、本発明は本実施形態に限られるものではない。第一変形例では、手首に固定する腕時計型のリストバンドを補聴器の付属具として設け、該リストバンドにモーションセンサ１９を内蔵することにより、腕の動きに応じて補聴器１０に所定の指示を出力できるものである。
【００６７】
図９は、第一変形例に係るリストバンド７０を示した図である。第一変形例に係る補聴器１０は、本体１１と、イヤホン１２と、リストバンド７０と、を備え、リストバンド７０と本体１１とが通信ケーブル７２で接続されている構成となっている。なお、前述の実施形態と同一の構成は、同一の符号を附して説明を省略する。
【００６８】
リストバンド７０は、バンド本体７１と、センサーケーブル７２と、を有している。なお、バンド本体７１は、モーションセンサ１９と、リピート関連処理の処理マークを表示するディスプレイ２２と、を備えている。センサーケーブル７２は、モーションセンサ１９が検知した傾き方向や出力値を示す信号を本体１１の演算処理装置１４に出力するための通信ケーブルである。
【００６９】
モーションセンサ１９は、腕に装着されたバンド本体７１に内蔵され、腕の動きによるリストバンド７０の傾き方向およびその大きさを検知する。また、モーションセンサ１９は、検知したリストバンド７０の傾き方向と、動作の加速度に比例する出力値と、を示す信号を生成し、センサーケーブル７２を介して本体１１の演算処理装置１４に出力する。
【００７０】
なお、本変形例に係る補聴器１０は、バンド本体７１に内蔵されるモーションセンサ１９を介して腕の動きを検知する。そして、所定の動きを検知したことを示す信号をモーションセンサ１９から取得すると、制御部５１は、リピート関連処理受け付けモードに移行する。また、制御部５１は、リピート関連処理受け付けモードに移行した後で、所定の時間内（例えば、５秒以内）に所定の動きを示す信号を取得すると、リピート関連処理を実行する。
【００７１】
具体的には、制御部５１は、モーションセンサ１９がほぼ水平であることを示す信号を取得してから所定時間内（例えば、３秒以内）に、モーションセンサ１９が横方向に複数回（例えば、２回）振られた動きを示す信号を取得すると、リピート関連処理受け付けモードに移行する。すなわち、補聴器の使用者が腕を水平にした後で、横方向に複数回腕を振る動作を行うことにより、リピート関連処理を実行するためのリピート関連処理受け付けモードに移行する。なお、所定のリピート関連処理に対応付けられている傾き方向は、前述の実施形態と同様である。
【００７２】
次に、第一変形例に係るリピート関連処理について説明する。図１２は、かかる処理を示したフロー図である。本フローは、補聴器１０の電源がＯＮになると開始される。
【００７３】
制御部５１は、リピート関連処理受け付けモードに移行するための信号をモーションセンサ１９から取得したか否かを監視する（ステップＳ０１１）。具体的には、制御部５１は、モーションセンサ１９がほぼ水平であることを示す信号を取得してから所定時間内（例えば、３秒以内）に、モーションセンサ１９が横方向に複数回（例えば、２回）振られる動きを示す信号を取得したか否かを監視する。
【００７４】
かかる動きを示す信号を取得した場合（ステップＳ０１１でＹｅｓ）、制御部５１は、リピート関連処理受け付けモードに移行し（ステップＳ０１２）、処理をステップＳ０１３に移行する。なお、ステップＳ０１３移行の処理は、前述の実施形態に係るステップＳ００１〜ステップＳ００３と同様であるため、説明を省略する。
【００７５】
このような構成によれば、使用者の腕の動きに応じてリピート再生などの処理を実行することができる。具体的には、使用者が、前後方向に水平にした腕を横方向に複数回振ることにより、制御部５１は、リピート関連処理を受け付けるモードに移行する。その後で、使用者が腕を左方向に傾ければ、所定範囲の時間内（信号取得時から３０秒前まで）に録音された音声データをリピート用の音声データが記録される。また、使用者が腕を右方向に傾ければ、録音されている音声データが再生される。
【００７６】
また、リピート関連処理受け付けモードに移行するための動作を予め設定することにより、腕の動きによる誤作動すなわち誤ってリピート関連処理が実行されないようにすることができる。なお、リピート関連処理受け付けモードに移行するための傾き方向やその組合せ（前述の例では、水平方向＋横方向に複数回移動）は、特に限定されるものではない。例えば、制御部５１は、モーションセンサ１９がほぼ水平であることを示す信号を取得した後で、所定時間内に、所定方向（例えば、左方向）に所定回数（例えば、３回）傾いたことを示す信号を取得した場合にリピート関連処理受け付けモードに移行するようにしても良い。また、例えば、モーションセンサ１９が、右方向および左方向への傾きを２回ずつ交互に検知することによりリピート関連処理受け付けモードに移行するようにしても良い。
【００７７】
なお、使用者が腕を前後方向に水平にすることにより、制御部５１がモーションセンサ１９の水平状態を示す信号を取得した場合、リピート関連処理受け付けモードに移行するようにしても良い。
【００７８】
このようにすれば、使用者が、例えば、リストバンド７０を装着した腕を前後方向に水平にした後で、腕を右方向（または左方向もしくは右方向および左方向を交互に）に３回捻れば（水平な腕の軸方向に対して四半回転させる動き）、制御部５１は、リピート関連処理受け付けモードに移行する。そして、かかるモードに移行した後に受け付けた信号に応じて、制御部５１は、所定の傾き方向に対応付けられているリピート関連処理３２が実行される。
【００７９】
また、リピート関連処理に対応付けられる所定の動作は、前述の回転（捻れ）方向、振動およびこれらの組合せであっても良い。
【００８０】
また、演算処理装置１４は、使用者からリピート番号４１の選択指示（例えば、リストバンド７０を前方向に傾けることによる指示）を受け付けた場合、選択されているリピート番号４１や、録音された日時情報をディスプレイ２２に表示させる情報を生成する。なお、リピート番号４１の表示に限らず、例えば、モーションセンサ１９が検知したリストバンド７０の傾き方向が表示されるようにしても良い。
【００８１】
このような第一変形例に係る補聴器によれば、ボタン操作を必要としない、より簡単な操作でリピート再生が可能となる。特に、腕に装着するリストバンド７０にモーションセンサ１９を内蔵することで、操作性が向上する。また、ディスプレイ２２を設けることで傾き方向やリピート番号４１を表示できるため、使用者にとって使い勝手が良いものとなる。また、補聴器１０では、素早い録音操作が可能であるため、リピートにより聴き直したいと思った音声データを適切に録音することができる。
【００８２】
また、図１０に示すように、前述の実施形態に係る各構成は、マイクロフォン１５とイヤホン１２とが本体と同一の筐体８１に搭載されている耳掛け式の補聴器に適用されても良い。すなわち、このような耳掛け式の補聴器の筐体８１にモーションセンサ１９および振動センサを内蔵し、使用者が首を傾けることで所定の処理を指示できるようにしても良い。
【００８３】
また、前述の実施形態に係る各構成は、マイクロフォン１５とイヤホン１２とが同一の筐体に取り付けられ、筐体とは別な本体とコードで接続された補聴器に適用されても良い。
【００８４】
＜第二変形例＞
また、前述の実施形態では、所定の動作を示す信号を取得すると、制御部５１は、リピート用音声データをリピート音声用メモリに１７格納したが、本発明は本実施形態に限られるものではない。第二変形例では、リピート音声用メモリ１７を用いず、録音用メモリ１６に格納した外部音声の音声データにリピート再生を行う開始位置を示したポイントマーク（アドレス番号やインデックス）を付加する。
【００８５】
図１３（ａ）は、第二変形例に係る録音用メモリ１６およびポイントマークを示した図である。図示するように、制御部は、所定の傾き方向を示す信号を取得する度に、所定時間前（例えば、３０秒前）に遡った位置にポイントマークを付加する。なお、図１３（ｂ）に示すように、制御部５１は、各ポイントマーク１０２に固有の識別番号１０１を対応付けたポイントマーク情報１００を生成し、これをＲＡＭなどのメモリに格納する。
【００８６】
そして、制御部５１は、前述のリピート番号４１と同様に、使用者から識別番号１０１の選択を受け付けると、対応するポイントマーク１０２が付加されている音声データを再生する。
【００８７】
なお、前述の第二変形例では、所定の傾き方向を示す信号を取得する度、所定時間前（例えば、３０秒前）に遡った位置にポイントマークが付加されたが、信号取得の有無に関係なく、所定時間ごと（例えば、１０秒ごと）に音声データにポイントマークを付加して録音用メモリ１６に格納しても良い。
【００８８】
なお、各ポイントマークには固有のアドレス値やインデックス番号が対応付けられてＲＡＭなどのメモリに格納されているものとする。
【００８９】
このような補聴器では、所定の時間間隔でポイントマークが付加された音声データが連続的に録音用メモリ１６に格納される。制御部５１は、音声データのリピート再生を指示する所定の動作（所定方向の傾き、回転、振動など）を示した信号を取得すると、所定数前（例えば、３つ）のポイントマークが付加されている位置から音声データのリピート再生を開始する。
【００９０】
なお、録音用メモリ１６に格納される音声データおよびポイントマーク（ポイントマークの位置を示すアドレス値やインデックスを含む）は、録音メモリに空き容量に応じて古いものから順に削除されても良く、または、録音から所定時間経過後（例えば、１時間経過後）に録音メモリ内の所定領域に待避して保存するようにしても良い。
【００９１】
このような第二変形例に係る補聴器によっても、ボタン操作を必要としない、より簡単な操作でリピート再生が可能となる。
【００９２】
また、前述の実施形態において、制御部５１が音声データを再生する際、再生区間中の音声データに無音区間が存在する場合には、無音区間を飛ばしてリピート再生を行うようにしても良い。
【００９３】
例えば、リピート再生を行う再生区間（全長３０秒間）の中で、所定の区間（例えば、１４秒目〜１６秒目）が無音区間である場合、制御部５１は、かかる再生区間を構成する音声データの音量や周波数帯域などを示すスペクトログラムにより、人の声が含まれているか否かを分析する。そして、人の声が含まれていない場合、制御部５１は、かかる区間を無音区間として特定し、その区間を飛ばして音声データの再生を行う。
【００９４】
また、リピート関連処理の内容は、リピート関連データ３０で定義付けられている所定の処理に限られるものではなく、適宜設定されれば良い。例えば、所定の動作（傾き、回転、振動など）を示す信号を取得すると、制御部５１は、補聴器１０の電源スイッチのＯＮ／ＯＦＦを行うようにしても良い。また、制御部５１は、所定の動作を示す信号の取得に応じて、補聴器の音量（ボリューム）調整を行っても良い。
【００９５】
また、制御部５１は、所定の動作（傾き、回転、振動など）を示す信号の取得に応じて、マイクロフォン１５の指向性を調整するようにしても良い。例えば、制御部５１は、外部音声を取得した方向に応じて音声を遅延させる演算処理を行うことにより、マイクロフォン１５の指向性（方向や範囲）を調整する。
【００９６】
また、本体１１に種類の異なるマイクロフォンを複数設け、所定の動作（傾き、回転、振動など）を示す信号の取得に基づき、状況に応じて切り替えて使用するようにしても良い。例えば、電車の車内では、上方向に指向性が広いマイクロフォンを使用し、人と対話するときには前方方向にやや狭い指向性のマイクロフォンを使用し、講演会場などでは前方方向に狭い指向性のマイクロフォンを使用する。制御部５１は、モーションセンサ１９で検知されたイヤホン１２またはリストバンド７０の動作に応じて、これらの処理を実行する。
【００９７】
また、前述の第一変形例に係るリストバンド７０にマイクロフォンを設け、外部音声の発生源（例えば、対話相手やテレビ、ラジオなど）に向かってマイクロフォンを向けることで、外部音声をより鮮明に取得することができるようにしても良い。マイクロフォンには所定範囲の指向性があることから、リストバンド７０に搭載することにより、指向性の方向に向きを自由に変更することができ、より鮮明に外部音声を取得することができる。また、その際、リストバンド７０で検知された動作に連動させて、補聴器の音量や音質の調整が可能となるようにしても良い。また、制御部５１や音声処理部５２といった機能部を有する演算処理装置をリストバンド７０に搭載しても良く、イヤホンケーブルを前述のセンサーケーブル７２としても良い。
【００９８】
また、各リピート関連処理に対応付けられている傾き方向は、いずれの方向であっても良い。例えば、前述の実施形態では、「音声データの再生」というリピート関連処理が右方向の傾きに対応付けられていたが、かかる処理が左方向または前方向の傾きに対応付けられていても良い。また、「スロー再生」は、右方向の傾きからゆっくりと傾きの無い状態に戻るという行為に対応付けられていたが、例えば、左方向の傾きや右方向の傾きに対応付けられていても良い。また、ゆっくりと右方向の傾きを示す信号を取得した場合にスロー再生が行われるようにしても良い。
【００９９】
また、前述の実施形態では、所定の振動が検知されると、制御部５１は、再生中の音声データを削除したが、所定方向の傾きを検知したことを示す信号を取得したタイミングで再生中の音声データを消去するようにしても良い。
【０１００】
また、所定のリピート関連処理を実行する際に、制御部５１は、かかる処理に対応する音声ガイドを再生するようにしても良い。例えば、実行するリピート関連処理が外部音声の再生である場合、制御部５１は、「再生します」といった所定の音声ガイダンスをイヤホン１２から出力させる。また、実行するリピート関連処理がポイントマークの付加である場合、制御部５１は、「再生位置を記録しました」といった所定の音声ガイダンスをイヤホン１２から出力させる。なお、音声ガイダンスで流れる音声は、予め録音用メモリ１６やＲＯＭなど所定の記録媒体に格納されていれば良い。
【符号の説明】
【０１０１】
１０・・・補聴器、１１・・・本体、１２・・・イヤホン、
１３・・・首掛けストラップ、１４・・・マイクロフォン、
１５・・・演算処理装置、１６・・・録音用メモリ、
１７・・・リピート音声用メモリ、１８・・・スピーカ、
１９・・・モーションセンサ、２０・・・コード、２１・・・接続端子、
２２・・・ディスプレイ
【図１】
2014042213.tif 000003
【図２】
2014042213.tif 000004
【図３】
2014042213.tif 000005
【図４】
2014042213.tif 000006
【図５】
2014042213.tif 000007
【図６】
2014042213.tif 000008
【図７】
2014042213.tif 000009
【図８】
2014042213.tif 000010
【図９】
2014042213.tif 000011
【図１０】
2014042213.tif 000012
【図１１】
2014042213.tif 000013
【図１２】
2014042213.tif 000014
【図１３】
2014042213.tif 000015